(57)【特許請求の範囲】
【請求項１】
ケース本体と、閉止位置において前記ケース本体に設けた開口部を略面一に閉止する位置に配置されるように構成したガラス板等の透明剛体を主体として形成される少なくとも３枚の戸板とを具備する展示ケースにおいて、
全ての前記戸板を前記閉止位置と該戸板を開閉可能な状態とする開閉可能位置との間で厚み方向に略沿って同時に出入自在に支持する支持機構と、開閉可能位置において前記戸板を開閉可能に支持する開閉機構とを具備し、前記支持機構が、前記開口部において鉛直方向に略沿って位置する開口側縁部側に位置するように設けてあり、
開口側縁部側に位置する端部戸板の開閉機構が、前記支持機構により閉止位置から開閉可能位置へと移動させた戸板の端部側を開閉可能に蝶持している蝶持機構であり、
二枚の端部戸板に挟まれた中央戸板の開閉機構が、前記支持機構により閉止位置から開閉可能位置へと移動させた端部戸板を前記蝶持機構により開成させた状態でのみ中央戸板を幅方向に沿って移動可能に支持するガイド機構であることを特徴とする展示ケース。
【請求項２】
ケース本体と、閉止位置において前記ケース本体に設けた開口部を略面一に閉止する位置に配置されるように構成したガラス板等の透明剛体を主体として形成される少なくとも３枚の戸板とを具備する展示ケースにおいて、
全ての前記戸板を前記閉止位置と該戸板を開閉可能な状態とする開閉可能位置との間で厚み方向に略沿って同時に出入自在に支持する支持機構と、開閉可能位置において前記戸板を開閉可能に支持する開閉機構とを具備し、前記支持機構が、前記開口部において開口下縁部側及び鉛直方向に略沿って位置する開口側縁部側に位置するように設けてあり、
開口側縁部側に位置する端部戸板の開閉機構が、前記支持機構により閉止位置から開閉可能位置へと移動させた戸板の端部側を開閉可能に蝶持している蝶持機構であり、
二枚の端部戸板に挟まれた中央戸板の開閉機構が、前記支持機構により閉止位置から開閉可能位置へと移動させた端部戸板を前記蝶持機構により開成させた状態でのみ中央戸板を幅方向に沿って移動可能に支持するガイド機構であることを特徴とする展示ケース。
【請求項３】
支持機構が、ケース本体側に設けた固定部と、この固定部に対して前後方向に移動可能に設けてあるとともに前記開閉機構の一部を支持する可動部とを具備し、前記可動部が、前記閉止位置と前記開閉可能位置との間を前記固定部に対して移動して前記戸板を前後方向に出入自在としていることを特徴とする請求項１又は２記載の展示ケース。
【請求項４】
可動部が、前記ケース本体の開口部の開口縁部に略密接した状態で前後方向に移動可能に設けた正面視略ロ字形の可動部本体を具備し、前記支持機構が、前記可動部本体の側縁部側を前後方向に移動可能に支持していることを特徴とする請求項３記載の展示ケース。
【請求項５】
可動部が、前記ケース本体の開口部の開口縁部に略密接した状態で前後方向に移動可能に設けた正面視略ロ字形の可動部本体を具備し、前記支持機構が、前記可動部本体の側縁部側及び下縁部側を前後方向に移動可能に支持していることを特徴とする請求項３記載の展示ケース。
【請求項６】
支持機構が、前記固定部側に正逆方向に回転可能に設けたピニオン部と、前記可動部側に設けてなり前記ピニオン部の回転運動を前記可動部の直線運動へと変換するラック部とを具備していることを特徴とする請求項３、４又は５記載の展示ケース。
【請求項７】
ガイド機構が、前記中央戸板の上下縁部に沿って設けてあることを特徴とする請求項１記載の展示ケース。
【請求項８】
ガイド機構が、ケース本体側又は中央戸板側の何れか一方側に設けた案内溝と、他方側に設けてなり前記案内溝内に転動可能に設けてあるローラとを具備し、前記ローラが案内溝に案内されて中央戸板を幅方向に沿って移動可能に支持していることを特徴とする請求項１又は７記載の展示ケース。
【請求項９】
蝶持機構が、前記開口部において略鉛直方向に沿って位置する開口側縁部と、この開口側縁部に対応する端部戸板の側縁部との間に設けてあることを特徴とする請求項１記載の展示ケース。
【請求項１０】
蝶持機構が、前記開口部の開口側縁部側又は前記端部戸板の側縁部側の何れか一方側に設けた軸部と、この軸部を介して前記端部戸板が前記開口部に対して回転可能となるように少なくとも前記端部戸板の側縁部側又は前記開口部の開口側縁部側の他方側に設けた軸受部とを具備していることを特徴とする請求項１又は９記載の展示ケース。
【発明の詳細な説明】
【０００１】
【発明の属する技術分野】
本発明は、種々の展示品を陳列し観覧に供するために使用される展示ケースに関するものである。
【０００２】
【従来の技術】
例えば、博物館や美術館等において使用される陳列ケースとしては、少なくとも前面に透明なガラス戸等の戸板を装着したものが一般的であり、その戸板を引戸式に開閉できるようにしたものが多い。その際、単なる引戸式のものにすると、隣接する戸板の端部同士が重合するため、格調を損ねる上に、視界が部分的に遮られ、観覧者に良い印象を与えることができないという不具合が生じる。そこで、各戸板を全て可動式のものにし、各レールを２枚の戸板を同時に重合配置し得るいわゆるダブルレール構造にした改良品が開発されている。
【０００３】
【発明が解決しようとする課題】
このようなものであれば、閉止時はダブルレールの一方に戸板を支持させることができ、開成時は特定のダブルレールを引き出して該レールに支持された戸板を隣接するダブルレール側へ移動させることができる。ところが、ダブルレールのうち通常は空いているレールが閉止時の戸板よりも前方に位置することとなり、このレールを隠蔽するために上下の化粧板が戸板から突出してしまい、外観上、見栄えが悪くなるという不具合を有している。さらに、ダブルレールには通常のレールの倍のレール巾が必要であり、それが前後可動であることから、レール全体をコンパクトに構成することができず、展示ケースにも大きな動作空間を確保しなければならないという問題が生じる。
【０００４】
このような不具合を解消するために、近年、前記戸板の上下縁部を幅方向に沿って移動可能に支持する支持部材と、この支持部材をガイドすべく少なくとも隣接する戸板にまで連続的に延びるガイドレールと、前記戸板をガイドレールとともに閉止位置と該閉止位置から前方に引き出した開閉可能位置との間で前後方向に出入り自在に案内する支持機構とを具備してなり、前記支持機構を介して前方に引き出された戸板を、同時に前方に引き出された前記ガイドレールに沿って幅方向に移動させるようにしているものがある。このような構成のものであると、閉止位置において全ての戸板が面一になる上、ダブルレールのものに比べて、化粧板等も戸板の前面から突出することがなく、すっきりとした外観で格調の高い展示ケースを提供することが可能となる。
【０００５】
ところで、この種の展示ケースでは、ケース本体の上部空間を大きく確保して、展示空間に広がりを持たせたいという要望がある。特に、ケース本体の背面側に掛け軸や絵画等の展示品を取り付ける場合には、背面側の上部空間をより大きく確保することが望ましいものである。しかしながら、前記戸板を前後方向に出入り自在に案内する支持機構は、通常、ケース本体の前面側の上下端部に設けてあり、前後方向すなわちケース本体の奥行方向に一定の設置スペースを必要とする。このように、ケース本体の上端部前面側には、支持機構の設置スペースが必要となるため、従来は、ケース本体の天井壁を、前記支持機構の後端部側から上方に傾斜させて、ケース本体の背面側の展示空間を大きく確保するようにしている。ところが、やはり上端部前面側に支持機構の設置スペースが存在するため、背面に取り付けた掛け軸や絵画等の展示品が観覧し難いという問題点があった。
【０００６】
このような課題に鑑み、本発明では、展示ケースの上部空間を展示空間としてより広く利用できるような展示ケースを提供することを目的とする。
【０００７】
【課題を解決するための手段】
上述した課題を解決するために、本発明の展示ケースは、ケース本体と、閉止位置において前記ケース本体に設けた開口部を略面一に閉止する位置に配置されるように構成したガラス板等の透明剛体を主体として形成される少なくとも３枚の戸板とを具備する展示ケースにおいて、全ての前記戸板を前記閉止位置と該戸板を開閉可能な状態とする開閉可能位置との間で厚み方向に略沿って同時に出入自在に支持する支持機構と、開閉可能位置において前記戸板を開閉可能に支持する開閉機構とを具備し、前記支持機構が、前記開口部において鉛直方向に略沿って位置する開口側縁部側に位置するように設けてあり、開口側縁部側に位置する端部戸板の開閉機構が、前記支持機構により閉止位置から開閉可能位置へと移動させた戸板の端部側を開閉可能に蝶持している蝶持機構であり、二枚の端部戸板に挟まれた中央戸板の開閉機構が、前記支持機構により閉止位置から開閉可能位置へと移動させた端部戸板を前記蝶持機構により開成させた状態でのみ中央戸板を幅方向に沿って移動可能に支持するガイド機構であることを特徴とする。
【０００８】
このような構成のものであると、前記戸板を前後方向に移動可能に支持するべく前記ケース本体の奥行方向に設置スペースを必要とする支持機構が、ケース本体の上端部側に存在しなくなるため、ケース本体内の上部空間を展示空間としてより広く利用することができる。特に、ケース本体を構成する天井面をケース本体の開口部近傍からすぐに後上方へ傾斜させることが可能となり、従来のように前面側に位置する支持機構が邪魔になって、背面側に取り付けた掛け軸や絵画等の展示品が観覧し難いという問題点も有効に回避することが可能となる。
【０００９】
また、他の態様としては、ケース本体と、閉止位置において前記ケース本体に設けた開口部を略面一に閉止する位置に配置されるように構成したガラス板等の透明剛体を主体として形成される少なくとも３枚の戸板とを具備する展示ケースにおいて、全ての前記戸板を前記閉止位置と該戸板を開閉可能な状態とする開閉可能位置との間で厚み方向に略沿って同時に出入自在に支持する支持機構と、開閉可能位置において前記戸板を開閉可能に支持する開閉機構とを具備し、前記支持機構が、前記開口部において開口下縁部側及び鉛直方向に略沿って位置する開口側縁部側に位置するように設けてあり、開口側縁部側に位置する端部戸板の開閉機構が、前記支持機構により閉止位置から開閉可能位置へと移動させた戸板の端部側を開閉可能に蝶持している蝶持機構であり、二枚の端部戸板に挟まれた中央戸板の開閉機構が、前記支持機構により閉止位置から開閉可能位置へと移動させた端部戸板を前記蝶持機構により開成させた状態でのみ中央戸板を幅方向に沿って移動可能に支持するガイド機構であることを特徴とする。
【００１０】
この場合も、前述した請求項１記載の構成の場合と同様に、前記戸板を前後方向に移動可能に支持するべく前記ケース本体の奥行方向に設置スペースを必要とする支持機構が、ケース本体の上端部側に存在しなくなるため、ケース本体内の上部空間を展示空間としてより広く利用することができる。特に、ケース本体を構成する天井面をケース本体の開口部近傍からすぐに後上方へ傾斜させることが可能となり、従来のように前面側に位置する支持機構が邪魔になって、背面側に取り付けた掛け軸や絵画等の展示品が観覧し難いという問題点も有効に回避することが可能となる。
【００１１】
簡単な構成で、電気的な同期駆動も取り易い戸板を移動させるための支持機構を構成するには、支持機構が、ケース本体側に設けた固定部と、この固定部に対して前後方向に移動可能に設けてあるとともに前記開閉機構の一部を支持する可動部とを具備し、前記可動部が、前記閉止位置と前記開閉可能位置との間を前記固定部に対して移動して前記戸板を前後方向に出入自在としているものであることが望ましい。
【００１２】
特に、複数の戸板を設けた場合に、全ての戸板を同期させて前後方向へ確実に移動させるには、可動部が、前記ケース本体の開口部の開口縁部に略密接した状態で前後方向に移動可能に設けた正面視略ロ字形の可動部本体を具備し、前記支持機構が、前記可動部本体の側縁部を前後方向に移動可能に支持しているものや、可動部が、前記ケース本体の開口部の開口縁部に略密接した状態で前後方向に移動可能に設けた正面視略ロ字形の可動部本体を具備し、前記支持機構が、前記可動部本体の側縁部及び下縁部を前後方向に移動可能に支持しているものであることが望ましい。
【００１３】
さらに、この場合の好適な実施の態様としては、支持機構が、前記固定部側に正逆方向に回転可能に設けたピニオン部と、前記可動部側に設けてなり前記ピニオン部の回転運動を前記可動部の直線運動へと変換するラック部とを具備しているものが挙げられる。
【００１４】
さらに、中央戸板をより安定に支持し、且つその幅方向への移動をより安定なものとするためには、ガイド機構が、前記中央戸板の上下縁部に沿って設けてあることが望ましい。
【００１５】
ガイド機構の具体的な実施の態様としては、ガイド機構が、ケース本体側又は中央戸板側の何れか一方側に設けた案内溝と、他方側に設けてなり前記案内溝内に転動可能に設けてあるローラとを具備し、前記ローラが案内溝に案内されて中央戸板を幅方向に沿って移動可能に支持しているものが挙げられる。
【００１７】
さらに、前記開口部の端部を略完全に開成し得るようにするには、蝶持機構が、前記開口部において略鉛直方向に沿って位置する開口側縁部と、この開口側縁部に対応する端部戸板の側縁部との間に設けてあることが望ましい。
【００１８】
この場合の好適な実施の態様としては、蝶持機構が、前記開口部の開口側縁部側又は前記端部戸板の側縁部側の何れか一方側に設けた軸部と、この軸部を介して前記端部戸板が前記開口部に対して回転可能となるように少なくとも前記端部戸板の側縁部側又は前記開口部の開口側縁部側の他方側に設けた軸受部とを具備しているものが挙げられる。
【００１９】
【発明の実施の形態】
以下、本発明の一実施の形態について図面を参照して説明する。
【００２０】
この展示ケースＡは、例えば、美術館等に設置されるもので、図１〜図３に示すように、ケース本体１内に、少なくとも底面１１、背面１２及び天井面１３によって囲まれる位置に展示品を陳列するための展示空間Ｓを形成するとともに、その展示空間Ｓの開口部たる前面開口部１４を閉止する位置に複数の戸板２を面一に設けた構成からなる。
【００２１】
ケース本体１には、図１及び図２に示すように、前面開口部１４の上縁部１４ａよりも上方に上化粧板１５を設けるとともに、図１及び図３に示すように、下縁部１４ｂよりも下方に下化粧板１６を設けて、ケース本体１の上方空間及び下方空間の前面を隠蔽し、これら上下化粧板１５、１６間に前記戸板２を鉛直姿勢で設けている。これら上化粧板１５の上端及び下化粧板１６の下端は、ヒンジ（図示せず）によって蝶着してあるとともに、ガススプリング等の付勢手段Ｆによって開成方向に付勢してあり、通常は、図示しないラッチロックやマグネットキャッチ等に保持されてその先端面を戸板２の前面に近接して対向し得る位置に位置付けてある。そして、前記戸板２を前方へ引き出す際には、適当な操作によってそのロック状態若しくはキャッチ状態を解除して前記上下化粧板１５、１６を開成し、戸板２の前方から退避させ得るようにしている。また、これら上下化粧板１５、１６の前面は、戸板２の閉止位置Ｐにおいて、該戸板２の前面と面一になる位置に設けてある。
【００２２】
戸板２は、図１〜図３に示すように、透明剛体であるガラス板からなるもので、その上下縁部２ａ、２ｂの内面側には、幅方向に略沿った保護枠２１が取り付けてある。なお、本実施の形態では、前記ケース本体１の前面開口部１４を閉止する位置に三枚の戸板２を設けている。
【００２３】
このような構成のものにおいて、本実施の形態では、図２〜図４に示すように、前記展示ケースＡが、前記戸板２を閉止位置Ｐ（図２〜図４中実線参照）と前記戸板２が開閉可能な状態となる開閉可能位置Ｑ（図２〜図４中想像線参照）との間で、その厚み方向である前後方向に略沿って出入自在に支持する支持機構３を具備し、この支持機構３により前記戸板２の閉止位置Pと開閉可能位置Ｑとを異なる位置として、前記閉止位置Pでの気密性を高めるようにしている。そして、特に、本実施の形態では、図７に示すように、前記支持機構３を前記前面開口部１４の鉛直方向に略沿った開口側縁部１４ｃ側に設けることによって、ケース本体１の上部空間をより大きく確保し得るようにしている。
【００２４】
さらに、本実施の形態では、前記前面開口部１４を閉止する位置に三枚の戸板２を設けているが、図１及び図５に示すように、これら三枚の戸板２のうち両端側の戸板２を前記開閉可能位置Ｑにおいて蝶持機構４により開閉可能に支持される端部戸板２Ａとしている。すなわち、全ての戸板２を閉止位置Pから開閉可能位置Ｑへと前方へ引き出した後、前記端部戸板２Ａを蝶持機構４を介して開閉することにより、前面開口部１４の開口側縁部１４ｃ側を略完全に開成させて展示空間Ｓの端部側への展示物の出し入れ等を容易に行い得るようにしている。さらに、本実施の形態では、図１及び図６に示すように、二枚の端部戸板２Ａに挟まれた中央の戸板２をガイド機構５により該戸板２の幅方向である左右方向に移動可能な中央戸板２Ｂとし、展示空間Ｓの中央部も確実に開放できるようにしている。
【００２５】
以下、前記支持機構３、蝶持機構４及びガイド機構５について説明する。
【００２６】
支持機構３は、図７〜図１０に示すように、前記ケース本体１の前面開口部１４の開口側縁部１４ｃ側に上下に対をなして設けた固定部３１と、この固定部３１に対して前後方向に移動可能となるように前記戸板２側に設けてある可動部３２とを具備し、前記可動部３２が、前記固定部３１に対して前後方向に移動することにより、前記閉止位置Ｐと前記開閉可能位置Qとの間で前記戸板２を前後方向に出入自在としている。さらに、本実施の形態では、前記固定部３１側にピニオン部６を正逆方向に回転可能に設けるとともに、前記可動部３２側に前記ピニオン部６の回転運動を前記可動部３２の直線運動へと変換するラック部７を設け、前記可動部３２の前後方向への直線的な移動を可能としている。
【００２７】
固定部３１は、図７〜図１０に示すように、前記前面開口部１４の開口側縁部１４ｃ側に上下方向に対をなして設けた正面視略門形状のもので、Ｌ字形状の取付部材ｔ１をボルト等の取付具で止着することにより前記ケース本体１に取り付けてある。この固定部３１は、具体的には、一対の対向する水平壁３１１と、これら水平壁３１１の内方端側を連結する連結壁３１２と、前記水平壁３１１において前記連結壁３１２より若干外方位置の対向面側から互いに相寄る方向へと突出して設けた一対のガイド壁３１３とから構成される。前記水平壁３１１には、前記ガイド壁３１３よりさらに外方位置に貫通孔３１１ａが設けてあり、この貫通孔３１１ａに前記ピニオン部６を支持する駆動軸８が正逆方向に回転可能に取り付けてある。このピニオン部６は、外周に歯部６１を有する周知の歯車である。また、前記駆動軸８は、前記ケース本体１の上下方向の略全長に亘って設けてあり、上下方向に対をなして前記ピニオン部６が取り付けてある。また、この駆動軸８の適宜箇所には、該駆動軸８を正逆方向に回転させるために駆動するモータ部Ｍと、前記駆動軸８の回転を適宜減速調整するための減速部Nとが設けてある。なお、図１０中符号Ｒで示すものは、前記駆動軸８の回転位置を適切な位置で決定するために利用されるリミットスイッチである。
【００２８】
可動部３２は、図７に示すように、前記前面開口部１４の開口縁部内に略密接な状態で位置する正面視略ロ字形状の可動部本体３２１を主体として構成されるもので、この可動部本体３２１は、前記ピニオン部６の歯部６１と噛合する位置に設けたラック部７により前後方向に移動可能に支持されている。ラック部７は、前後方向に延出して設けた略直方体状のもので、その外面に前記ピニオン部６の歯部６１と噛合する歯部７１を有する周知の棒状の歯車である。また、このラック部７には、前記固定部３１のガイド壁３１３を前後方向に転動して前記ラック部７の前後方向への移動を補助する上下に対をなす補助車輪７２が、前後方向二箇所に設けてある。さらに、ラック部７は、その後端部及び前後方向中央部の内面側から突出した突起部７３を具備し、移動時、この突起部７３を前記固定部３１の連結壁３１２の対向面に設けたスライド溝３１４内でスライドさせることにより、該ラック部７を蛇行することなく適正に前後方向に移動し得るように案内させている。また、この突起部７３は、戸板２が開閉可能位置Ｑまで移動した際に、前記スライド溝３１４の後向面３１４ａに当たって、該戸板２を開閉可能位置Qよりも前方に移動させることを禁止するストッパとしての役割も果たしている。そして、前記ラック部７の移動方向の先端部側である前面側には、前記可動部本体３２１が設けてある。この可動部本体３２１は、図７に示すように、前記ケース本体１の前面開口部１４の開口縁部の形状と、その外縁が形成する形状が略相似形状である正面視略ロ字形のもので、幅方向に沿って位置する上下壁３２１ａ、３２１ｂと、上下方向に沿って位置する左右側壁３２１ｃとを具備している。そして、この可動部本体３２１は、その左右側壁３２１ｃの前面側に、図１１に示すように、蝶持機構４の一部を構成する軸保持部４１が支持させてあるとともに、図７に示すように、その上下壁３２１ａ、３２１ｂの幅方向の略全域に亘ってガイド機構５の一部を構成するローラ５２が適宜箇所に間欠的に突設してある。
【００２９】
蝶持機構４は、図１１に示すように、前記前面開口部１４において略鉛直方向に沿って位置する開口側縁部１４ｃと、この開口側縁部１４ｃに対応する端部戸板２Ａの外側の側縁部２ｃとの間に設けてあり、前記端部戸板２Ａの側縁部２ｃを開閉可能に支持するものである。具体的には、前記可動部本体３２１の左右側壁３２１ｃの前面側に適宜の手段で取り付けた軸保持部４１と、この軸保持部４１に保持させた軸部４２と、この軸部４２に対して正逆方向に回転可能となるように前記戸板２の側縁部２ｃ側に設けた軸受部４３とを具備しているような周知の蝶番機構である。前記軸保持部４１は、前記前面開口部１４の開口上下寸法と略等しい上下寸法を有するものである。また、軸受部４３も、前記端部戸板２Ａの上下寸法と略等しい上下寸法を有するもので、前記端部戸板２Ａの背面側に設けた上下の保護枠２１にその上下端部４３ａを適宜の手段で取り付けてある。このような構成のものにおいて、前記開閉可能位置Ｑにある前記端部戸板２Ａを開成する際には、該端部戸板２Ａの回転端側である他方の側縁部２ｄ側に吸着把手等（図示せず）を取り付け、図５に示すように、前記蝶持機構４を介して前方へ向って鉛直軸心回りに回転することにより、端部戸板２Ａを開成する。
【００３０】
なお、図示していないが、端部戸板２Ａが閉止位置Ｐにある時及び閉止位置Ｐから開閉可能位置Qへと移動する時に、該端部戸板２Ａが蝶持機構４を介して回転しないように確実にロックするとともに、開閉可能位置Ｑでは簡単にロックを解除して端部戸板２Ａを開成することができるようなロック機構を前記端部戸板２Ａ近傍に設けるようにしている。
【００３１】
ガイド機構５は、図２、図３及び図１２に示すように、前記戸板２の上下縁部２ａ、２ｂの内側に沿って設けた案内溝５１と、前記案内溝５１内を巾方向に沿って転動可能に設けたローラ５２とを具備している。案内溝５１は、前記戸板２の上下縁部２ａ、２ｂの内側に沿って設けた保護枠２１の内面２１ａ側に巾方向に沿って連続して設けてある。具体的には、前記保護枠２１の内面側から後方に向って突出した上下壁５１１と、これら上下壁５１１の突出端側から互いに相寄る方向へ鉛直方向に略沿って延出した一対の後壁５１２とを具備している。この案内溝５１は、前記ローラ５２を転動可能に収容し得る奥行寸法及び上下寸法を有している。一方、ローラ５２は、前記可動部本体３２１の上下壁３２１ａの幅方向に略沿った複数箇所に水平軸心回りに回転可能に軸着してある。
【００３２】
なお、図１１に示すように、前記戸板２のうち端部戸板２Ａの上下縁部２ａ、２ｂの内側に設けた保護枠２１の内面２１ａ側にも前記案内溝５１と略同様の構成を有する溝部ｍが設けてあるが、この溝部ｍは、前記保護枠２１の内面２１ａ側から後方に向って突出した上下壁ｍ１のみから構成されており、前記蝶持機構４を介して前記端部戸板２Ａを前記可動部本体３２１に対し開閉する際に、この溝部ｍが開閉動作を妨げないようにしている。
【００３３】
次に、この展示ケースＡの戸板２を開成する場合の取扱方法を説明する。
【００３４】
先ず、各戸板２が図１及び図４に示す面一な閉止位置Ｐにある状態で、前記上下化粧板１５、１６を回動退避させた後、モータ部Ｍを駆動させることによって、駆動軸８を回転させる。この駆動軸８の回転とともに前記ピニオン部６が回転し、このピニオン部６の回転移動がラック部７の前方への直線移動へと変換されるようにする。ラック部７が前方へ直線移動することによって、可動部３２が前方へ移動することとなり、全ての戸板２が、図４中想像線に示すように、蝶持機構４及びガイド機構５とともに開閉可能位置Ｑへと移動する。そして、前記前面開口部１４を開成させて展示空間Ｓ内の展示物の出し入れ等を行うには、先ず、端部戸板２Ａを開成する。端部戸板２Ａを開成させる際には、例えば、この端部戸板２Ａの回転端部側である内側の側縁部２ｄ側に吸着把手等（図示せず）を取り付け、図５に示すように、回転支持端側である外側の側縁部２ｃに設けた蝶持機構４を介して前方に向って鉛直軸心回りに回転させて開成する。このようにすると、展示空間Ｓの端部側が略完全に開成することとなり、展示物の出し入れ等が非常に行い易いものとなる。
【００３５】
さらに、展示空間Ｓの中央部を開成して、展示物の出し入れ等を行うには、中央戸板２Bを幅方向へ移動させるようにすればよい。その際には、例えば、中央戸板２Ｂに対して吸着把手等（図示せず）を取り付けて幅方向へ牽引操作を行って、図６に示すように、中央戸板２Ｂを、前記ガイド機構５を介して幅方向にスライド移動させる。具体的には、前記中央戸板２Ｂの上下縁部２ａ、２ｂに設けた案内溝５１内を前記可動部本体３２１側に設けたローラ５２を転動させるようにする。
【００３６】
一方、以上とは逆の操作を行うことにより、開成した前面開口部１４を再び前記戸板２によって閉止することができる。
【００３７】
このような構成のものであると、前記戸板２を前後方向に移動可能に支持するべくケース本体１の奥行方向に設置スペースを必要とする支持機構３が、図２に示すように、ケース本体１の上端部側に存在しなくなるため、該ケース本体１内の上部空間を展示空間Ｓとしてより広く利用することができる。特に、ケース本体１を構成する天井面１３を前記前面開口部１４近傍からすぐに後上方へ傾斜させることが可能となり、従来のように、前面側に位置する支持機構が邪魔になって、背面に取り付けた掛け軸や絵画等の展示品が観覧し難いという問題点も有効に回避することが可能となる。
【００３８】
支持機構３が、ケース本体１側に設けた固定部３１と、この固定部３１に対して前後方向に移動可能に設けてあるとともに前記蝶持機構４及びガイド機構５の一部を支持する可動部３２とを具備し、前記可動部３２が、前記閉止位置Ｐと前記開閉可能位置Qとの間を前記固定部３１に対して移動して前記戸板２を前後方向に出入自在としているものであるので、簡単な構成で、電気的な同期駆動も取り易い戸板２を移動させることができる。
【００３９】
また、可動部３２が、前記ケース本体１の前面開口部１４の開口縁部に略密接した状態で前後方向に移動可能に設けた正面視略ロ字形の可動部本体３２１を具備し、前記支持機構３が、前記可動部本体３２１の側縁部である左右側壁３２１ｂを前後方向に移動可能に支持しているので、前記ケース本体１内の上部空間を展示空間Ｓとしてより広く利用し得る上、特に、複数の戸板２を設けた場合に、全ての戸板２を同期させて前後方向へ確実に移動させることが可能となる。
【００４０】
さらに、支持機構３が、前記固定部３１側に正逆方向に回転可能に設けたピニオン部６と、前記可動部３２側に設けてなり前記ピニオン部６の回転運動を前記可動部３２の直線運動へと変換するラック部７とを具備しているので、簡単な構成且つ機構的な同期も図り易い構成で、前記可動部を直線的に前後移動させることが可能となる。
【００４１】
開閉機構が、前記支持機構３により閉止位置Ｐから開閉可能位置Ｑへと移動させた戸板２を幅方向に沿って移動可能に支持するガイド機構５であるので、簡単な構成で、前記前面開口部１４の任意の位置を良好に開成することが可能となる。
【００４２】
この場合に、ガイド機構５が、前記戸板２の上下縁部２ａ、２ｂに沿って設けてあるので、戸板２をより安定に支持し、且つその幅方向への移動をより安定なものとすることが可能である。
【００４３】
ガイド機構５が、前記戸板２側に設けた案内溝５１と、可動部本体３２１に設けてあり前記案内溝５１内に転動可能に設けてあるローラ５２とを具備し、前記ローラ５２が案内溝５１に案内されて戸板２を幅方向に沿って移動可能に支持しているものであるので、吊り機構により戸板を幅方向に沿って移動可能に支持している場合と比べて、戸板脱落の危険性が少なくなる上、ガラス板である戸板の撓み等も有効に防止することができる。
【００４４】
また、開閉機構が、前記支持機構３により閉止位置Ｐから開閉可能位置Qへと移動させた戸板２の端部側を開閉可能に蝶持している蝶持機構４であるので、前面開口部１４の開口側縁部よりも外方に戸板の引き込みスペースを設ける等しなくとも、確実に前面開口部１４の端部側を開成することが可能となり、展示空間Ｓの端部側に配置した展示物の出し入れ等も非常に行い易いものとなる。
【００４５】
さらに、蝶持機構４が、前記前面開口部１４において略鉛直方向に沿って位置する開口側縁部１４ｃと、この開口側縁部１４ｃに対応する戸板２の側縁部２ｃとの間に設けてあるので、前記前面開口部１４の端部を略完全に開成することができる。
【００４６】
さらに、蝶持機構４が、前記前面開口部１４の開口側縁部１４ｃ側に設けた軸保持部４１に保持させた軸部４２と、この軸部４２に対して回転可能となるように前記端部戸板２Ａの側縁部２ｃ側に設けた軸受部４３とを具備しているので、簡単な構成で端部戸板２Ａを開閉可能に蝶持することができる。
【００４７】
なお、本発明における構成は、以上説明したものに限定されないのは勿論である。例えば、本実施の形態では、前記前面開口部を閉止する位置に複数枚の戸板を設けるようにしていたが、これに限定されない。さらに、本実施の形態では、支持機構が、前記前面開口部１４の開口側縁部１４ｃ側に位置するように設けてあったが、これに限定されず、図１３に示すように、前記前面開口部１４の開口側縁部１４ｃ側及び開口下縁部１４ｄ側に位置するように設けてあってもよい。すなわち、正面視略ロ字形状の可動部本体３２１の左右側壁３２１ｃ及び下壁３２１ｂを支持する位置に支持機構３を設けるようにしている。また、戸板を開閉可能に支持する機構も、蝶持機構とガイド機構を組み合わせるものに限定されない。その他の構成も本発明の趣旨を逸脱しない範囲で種々変形が可能である。
【００４８】
【発明の効果】
本発明は、以上説明したような構成で実施され以下に記載されるような効果を奏する。
【００４９】
すなわち、本発明は、前記戸板を前記閉止位置と該戸板を開閉可能な状態とする開閉可能位置との間で厚み方向に略沿って出入自在に支持する支持機構が、前記支持機構が、前記開口部において鉛直方向に略沿って位置する開口側縁部側に位置するように設けてあるので、ケース本体の奥行方向に設置スペースを必要とする支持機構が、該ケース本体の上端部側に存在しなくなるため、ケース本体内の上部空間を展示空間としてより広く利用することができ、さらに、ケース本体の上端部前面側に位置する支持機構が邪魔になって、背面に取り付けた掛け軸や絵画等の展示品が観覧し難いという問題点も有効に回避することが可能となる。
【００５０】
また、前記支持機構が、前記開口部において開口下縁部側及び鉛直方向に略沿って位置する開口側縁部側に位置するように設けてある場合も同様の効果を奏するものである。
【００５１】
支持機構が、ケース本体側に設けた固定部と、この固定部に対して前後方向に移動可能に設けてあるとともに前記開閉機構の一部を支持する可動部とを具備し、前記可動部が、前記閉止位置と前記開閉可能位置との間を前記固定部に対して移動して前記戸板を前後方向に出入自在としているものであるならば、簡単な構成で、電気的な同期駆動も取り易い戸板を移動させるための支持機構を構成することができる。
【００５２】
また、可動部が、前記ケース本体の開口部の開口縁部に略密接した状態で前後方向に移動可能に設けた正面視略ロ字形の可動部本体を具備し、前記支持機構が、前記可動部本体の側縁部を前後方向に移動可能に支持しているものや、可動部が、前記ケース本体の開口部の開口縁部に略密接した状態で前後方向に移動可能に設けた正面視略ロ字形の可動部本体を具備し、前記支持機構が、前記可動部本体の側縁部及び下縁部を前後方向に移動可能に支持しているものであるならば、特に、複数の戸板を設けた場合に、全ての戸板を同期させて前後方向へ確実に移動させることが可能となる。
【００５３】
さらに、支持機構が、前記固定部側に正逆方向に回転可能に設けたピニオン部と、前記可動部側に設けてなり前記ピニオン部の回転運動を前記可動部の直線運動へと変換するラック部とを具備しているならば、簡単な構成且つ機構的な同期も図り易い構成で、前記可動部を直線的に前後移動させることが可能となる。
【００５４】
開閉機構が、前記支持機構により閉止位置から開閉可能位置へと移動させた戸板を幅方向に沿って移動可能に支持するガイド機構であるならば、簡単な構成で、前記前面開口部の任意の位置を良好に開成することが可能となる。
【００５５】
この場合に、ガイド機構が、前記戸板の上下縁部に沿って設けてあるならば、戸板をより安定に支持し、且つその幅方向への移動をより安定なものとすることが可能である。
【００５６】
ガイド機構が、ケース本体側又は戸板側の何れか一方側に設けた案内溝と、他方側に設けてなり前記案内溝内に転動可能に設けてあるローラとを具備し、前記ローラが案内溝に案内されて戸板を幅方向に沿って移動可能に支持しているものであるならば、吊り機構により戸板を幅方向に沿って移動可能に支持している場合と比べて、戸板脱落の危険性が少なくなる上、ガラス板である戸板の撓み等も有効に防止することができる。
【００５７】
また、開閉機構が、前記支持機構により閉止位置から開閉可能位置へと移動させた戸板の端部側を開閉可能に蝶持している蝶持機構であるならば、開口部の開口側縁部よりも外方に戸板の引き込みスペースを設ける等しなくとも、確実に開口部の端部側を開成することが可能となり、展示空間の端部側に配置した展示物の出し入れ等も非常に行い易いものとなる。
【００５８】
さらに、蝶持機構が、前記開口部において略鉛直方向に沿って位置する開口側縁部と、この開口側縁部に対応する戸板の側縁部との間に設けてあるならば、前記開口部の端部を略完全に開成し得るようにすることができる。
【００５９】
さらに、蝶持機構が、前記開口部の開口側縁部側又は前記戸板の側縁部側の何れか一方側に設けた軸部と、この軸部を介して前記戸板が前記開口部に対して回転可能となるように少なくとも前記戸板の側縁部側又は前記開口部の開口側縁部側の他方側に設けた軸受部とを具備しているならば、簡単な構成で戸板を開閉可能に蝶持することができる。
【図面の簡単な説明】
【図１】本発明の一実施の形態において戸板が閉止位置にある状態を示す展示ケースの全体斜視図。
【図２】同戸板の上部構造を示す要部拡大側断面図。
【図３】同戸板の下部構造を示す要部拡大側断面図。
【図４】同戸板の取扱方法を説明するための模式的な平断面図。
【図５】同戸板の取扱方法を説明するための模式的な平断面図。
【図６】同戸板の取扱方法を説明するための模式的な平断面図。
【図７】同要部を示す斜視図。
【図８】同支持機構を示す平面図。
【図９】同支持機構を示す背面図。
【図１０】同要部を示す右側面図。
【図１１】同要部を示す拡大斜視図。
【図１２】同要部を示す拡大斜視図。
【図１３】同一変形例において要部を示す斜視図。
【符号の説明】
１…ケース本体
１４…開口部（前面開口部）
１４ｃ…開口側縁部
１４ｄ…開口側縁部
２…戸板
２ａ…上縁部
２ｂ…下縁部
２ｃ…側縁部
３…支持機構
３１…固定部
３２…可動部
４…蝶持機構
４１…軸受部
４２…軸部
５…ガイド機構
５１…案内溝
５２…ローラ
６…ピニオン部
７…ラック部
８…駆動軸
Ａ…展示ケース
Ｐ…閉止位置
Ｑ…開閉可能位置
【図１】
0004883851.tif 000002
【図２】
0004883851.tif 000003
【図３】
0004883851.tif 000004
【図４】
0004883851.tif 000005
【図５】
0004883851.tif 000006
【図６】
0004883851.tif 000007
【図７】
0004883851.tif 000008
【図８】
0004883851.tif 000009
【図９】
0004883851.tif 000010
【図１０】
0004883851.tif 000011
【図１１】
0004883851.tif 000012
【図１２】
0004883851.tif 000013
【図１３】
0004883851.tif 000014